(57)【要約】【目的】  複数ある伸縮可能な脚部をそれぞれ独立して固定することができるようにする。【構成】  平面視略小判状で周面の円弧部２２１に複数段の係合溝２２２が形成された棒状の第１の脚部２２０と、略円筒形状で上端に係合溝２２２に係合する対向した一対の係合片２３１が設けられた第２の脚部２３０と、第１の脚部２２０に上下動可能に嵌まり込んだ固定具２４０とを備え、固定具２４０には、第１の脚部２２０の係合溝２２２に第２の脚部２３０の係合片２３１が係合した状態で、第１の脚部２２０と第２の脚部２３０との間にある空隙Ｇに挿入される回り止め突起２４３が設けられている。【選択図】      図８
2007319210.tif 000002
【特許請求の範囲】
【請求項１】
平面視略小判状で周面の円弧部に複数段の係合溝が形成された棒状の第１の脚部と、略円筒形状で上端に前記係合溝に係合する対向した一対の係合片が設けられた第２の脚部と、前記第１の脚部に上下動可能に嵌まり込んだ固定具とを具備しており、前記固定具には、第１の脚部の係合溝に第２の脚部の係合片が係合した状態で、第１の脚部と第２の脚部との間にある空隙に挿入される回り止め突起が設けられていることを特徴とする脚部の固定構造。
【請求項２】
前記係合溝は、一定間隔で形成されていることを特徴とする請求項１記載の脚部の固定構造。
【請求項３】
前記固定具は、前記回り止め突起が前記空隙に挿入された状態で、第２の脚部の上端に被せるべくキャップ状に形成されていることを特徴とする請求項１又は２記載の脚部の固定構造。
【請求項４】
請求項１乃至３記載の脚部の固定構造を有することを特徴とする椅子。
【発明の詳細な説明】
【技術分野】
【０００１】
本発明は、例えば、椅子等の伸縮可能となった脚部を固定する脚部の固定構造と、この脚部の固定構造を用いた椅子とに関する。
【背景技術】
【０００２】
例えば、土手等の傾斜地に設置されることが多い釣り用の椅子は、傾斜地に対応するために、脚部が伸縮可能になっているものが多い。
【０００３】
【特許文献１】特開２００５−２９６１８９
【発明の開示】
【発明が解決しようとする課題】
【０００４】
しかしながら、この種の椅子が設置される傾斜地には石や岩等が多いことがあるし、泥濘地であることも多い。
このため、各脚部が独立して伸縮可能になる、すなわち各脚部の長さがそれぞれ異なるように調整することができるのが望ましい。
【０００５】
しかしながら、特許文献１にもあるような従来のこの種の椅子は、傾斜地に対応していないため、各脚部の長さをそれぞれ異なるように調整することができないものである。
本発明は、上記事情に鑑みて創案されたもので、複数ある伸縮可能な脚部をそれぞれ独立して固定することができる脚部の固定構造と、これを用いた椅子とを提供することを目的としている。
【課題を解決するための手段】
【０００６】
本発明に係る脚部の固定構造は、平面視略小判状で周面の円弧部に複数段の係合溝が形成された棒状の第１の脚部と、略円筒形状で上端に前記係合溝に係合する対向した一対の係合片が設けられた第２の脚部と、前記第１の脚部に上下動可能に嵌まり込んだ固定具とを具備しており、前記固定具には、第１の脚部の係合溝に第２の脚部の係合片が係合した状態で、第１の脚部と第２の脚部との間にある空隙に挿入される回り止め突起が設けられている。
【０００７】
また、前記係合溝は、一定間隔で形成されていることが望ましい。
【０００８】
さらに、前記固定具は、前記回り止め突起が前記空隙に挿入された状態で、第２の脚部の上端に被せるべくキャップ状に形成されていることが望ましい。
【０００９】
なお、本発明に係る椅子は、前記脚部の固定構造を有している。
【発明の効果】
【００１０】
本発明に係る脚部の固定構造は、脚部を独立して長さの調整が可能となるので、椅子に採用した場合非常に便利である。
【発明を実施するための最良の形態】
【００１１】
図１は本発明の実施の形態に係る脚部の固定構造を用いた椅子の概略的斜視図、図２は本発明の実施の形態に係る脚部の固定構造を構成する第１の脚部の概略的斜視図、図３は本発明の実施の形態に係る脚部の固定構造を構成する第２の脚部の概略的斜視図、図４は本発明の実施の形態に係る脚部の固定構造を構成する固定具の図面であって、同図（Ａ）は概略的斜視図、同図（Ｂ）は概略的底面図、同図（Ｃ）は同図（Ａ）のＩ−Ｉ線概略的断面図、図５は本発明の実施の形態に係る脚部の固定構造を構成する第１の脚部及びそれと一体化した一体化したアングル部材の概略的斜視図、図６は本発明の実施の形態に係る脚部の固定構造を採用した椅子の該固定構造とフレームとの連結構造を示す概略的斜視図、図７は本発明の実施の形態に係る脚部の固定構造による第１の脚部と第２の脚部との固定手順を示す概略的斜視図、図８は本発明の実施の形態に係る脚部の固定構造による第１の脚部と第２の脚部との固定手順を示す概略的斜視図、図９は本発明の実施の形態に係る脚部の固定構造による第１の脚部と第２の脚部との固定手順を示す図面であって、同図（Ａ）は固定前の第１の脚部と第２の脚部との関係を示す概略的平面図、同図（Ｂ）は固定後の第１の脚部と第２の脚部との関係を示す概略的平面図、図１０は本発明の実施の形態に係る脚部の固定構造による第１の脚部と第２の脚部との固定手順を示す概略的斜視図である。
【００１２】
本発明の実施の形態に係る脚部の固定構造は、平面視略小判状で周面の円弧部２２１に複数段の係合溝２２２が形成された棒状の第１の脚部２２０と、略円筒形状で上端に前記係合溝２２２に係合する対向した一対の係合片２３１が設けられた第２の脚部２３０と、前記第１の脚部２２０に上下動可能に嵌まり込んだ固定具２４０とを備えており、前記固定具２４０には、第１の脚部２２０の係合溝２２２に第２の脚部２３０の係合片２３１が係合した状態で、第１の脚部２２０と第２の脚部２３０との間にある空隙Ｇに挿入される回り止め突起２４３が設けられている。
【００１３】
本発明の実施の形態に係る脚部の固定構造が用いられた椅子は、例えば、釣り等に使用されるものであって、臀部をのせる板材（図示省略）が取り付けられる略ロ字形状のフレーム１００と、このフレーム１００の４隅部にそれぞれ設けられる４組の脚部２００とから構成される。
【００１４】
前記フレーム１００は、例えば、アルミニウムやステンレス、木材或いはプラスチック等からなる角棒体を組み合わせたものであって、通常の体格の人が臀部をのせることができる程度の大きさに設定されている。そして、このフレーム１００には、図示しない板材が取り付けられている。
【００１５】
一方、脚部２００は、前記フレーム１００の４隅部に回動可能に取り付けられたアングル部材２１０と、このアングル部材２１０に一体的に取り付けられた第１の脚部２２０と、この第１の脚部２２０に連結される第２の脚部２３０と、この第１の脚部２２０と第２の脚部２３０とを固定するための固定具２４０とを有している。
【００１６】
前記アングル部材２１０は、図５に示すように、側面視略凹字形状になった略樋状のものであって、一端側にはフレーム１００に取り付けられるための開口２１１Ａが開設された一対の舌片部２１１が突設されている。なお、この一対の舌片部２１１の間の間隔は、フレーム１００を構成する角棒体の太さに対応している。
なお、このアングル部材２１０は、例えば、アルミニウムやステンレス等の金属で構成することが強度の観点から望ましい。
また、このアングル部材２１０は、第１の脚部２２０と一体的に鋳造等で構成することも可能であるし、別々に制作して溶接して一体化することも可能である。
【００１７】
一方、前記第１の脚部２２０は、図２に示すように、平面視円形の円柱の向かい合う周面を平行に切削して、平面視略小判状にしたものであって、残った円弧部２２１に複数段（図面では５段）の係合溝２２２を等間隔で形成したものである。
なお、この第１の脚部２２０は、例えば、アルミニウムやステンレス等の金属で構成することが強度の観点から望ましい。
【００１８】
このアングル部材２１０と前記フレーム１００との間には、図６に示すように、係止機構３００が設けられている。この係止機構３００は、脚部２００がフレーム１００から伸びた状態にある場合に、不用意に脚部２００が折り畳まれないようにするためのものである。すなわち、この係止機構３００は、図６に示すように、ピン３２０で連結された２つの連結辺３１０を一方はアングル部材２１０に、他方はフレーム１００にそれぞれピン３３０で連結して構成される。この係止機構３００では、中央のピン３２０から２つの連結片３１０をくの字状に折り曲げることによって脚部２００を折り畳むのである。
【００１９】
また、前記第２の脚部２３０は、図３に示すように、内側に第１の脚部２２０が入り込む程度の大きさを有する円筒形状の部材である。この第２の脚部２３０の上端には縁部から内側に向かった一対の係合片２３１が取り付けられている。この係合片２３１が設けられたため、第２の脚部２３０の上端側の開口部２３２の形状は、略小判状になっている。ただし、この上端側の開口部２３２は、第１の脚部２２０の平面視より大きく、かつ第１の脚部２２０を軸芯Ｌ（図８参照）を中心として回転させた場合に、第１の脚部２２０の係合溝２２２に第２の脚部２３０の係合片２３１が係合するようにような大きさに設定されている。
なお、この第２の脚部２３０は、例えば、アルミニウムやステンレス等の金属で構成することが強度の観点から望ましい。
【００２０】
さらに、前記固定具２４０は、図４に示すように、キャップ状に形成されており、天面２４１には、略小判状の開口２４２が開設されている。また、天面２４１の内側からは、前記開口２４２を取り囲むようにして一対の回り止め突起２４３が垂下されている。この回り止め突起２４３と固定具２４０の外周壁２４４との間には、前記第２の脚部２３０が嵌まり込むための溝２４５が形成されている。
なお、この固定具２４０は、例えば、プラスラック等のある程度の柔らかさをもった素材で構成することが望ましい。
【００２１】
本発明の実施の形態に係る脚部の固定構造は、上述した各部材を次のように組み合わせることによって構成される。
第１の脚部２２０を固定具２４０の開口２４２に貫通させ、その第１の脚部２２０を第２の脚部２３０の開口部２３２に貫通させる。この状態では、第１の脚部２２０と第２の脚部２３０とはそれぞれ独立しており、連結状態にはない。
【００２２】
図７に示すように、脚部２００が所望の長さになるような係合溝２２２（図７では最も下側の係合溝になっている。）と、第２の脚部２３０の係合片２３１とを付き合わせる。
【００２３】
この状態で、図８に示すように、第２の脚部２３０を軸芯Ｌを中心として矢印に示すように約９０度回転させると、第２の脚部２３０の係合片２３１が第１の脚部２２０の係合溝２２２に係合される。
この係合溝２２２と係合片２３１との係合によって、第１の脚部２２０と第２の脚部２３０の上下方向の固定が行われる。すなわち、これによって、脚部２００の長さが決定されるのである。
【００２４】
なお、本来ならば、第１の脚部２２０の上端は、アングル部材２１０に溶接等で連結されているのであるが、説明のため、図６等においては、アングル部材２１０の描写は省略している。
【００２５】
第２の脚部２３０の係合片２３１が第１の脚部２２０の係合溝２２２に係合されるた状態で、固定具２４０を第２の脚部２３０の先端に被せる。すると、固定具２４０の回り止め突起２４３が、第１の脚部２２０と第２の脚部２３０との空隙Ｇ（図９（Ｂ）参照）に挿入される。この回り止め突起２４３の前記空隙Ｇへの挿入により、第２の脚部２３０は、回らなくなる。すなわち、この状態で第１の脚部２２０と第２の脚部２３０とは、所望の長さで固定されたことになる。
【００２６】
脚部２００の長さを変更する場合には、次のような手順で行う。
まず、固定具２４０を上側に移動させて、回り止め突起２４３の空隙Ｇへの挿入を解除する。次に、第２の脚部２３０を軸芯Ｌを中心として回転させて、係合溝２２２と係合片２３１との係合を解除する。そして、第２の脚部２３０を第１の脚部２２０に沿って移動させて、所望の長さに合致する係合溝２２２に係合片２３１を係合させる。そして、第２の脚部２３０を回転させて係合溝２２２と係合片２３１とを係合させ、固定具２４０を空隙Ｇに挿入する。
【００２７】
このように構成された脚部の固定構造を採用した椅子は、各脚部２００の長さを別個に調整することができるので、傾斜地、特に泥濘な傾斜地等に便利である。
【図面の簡単な説明】
【００２８】
【図１】本発明の実施の形態に係る脚部の固定構造を用いた椅子の概略的斜視図である。
【図２】本発明の実施の形態に係る脚部の固定構造を構成する第１の脚部の概略的斜視図である。
【図３】本発明の実施の形態に係る脚部の固定構造を構成する第２の脚部の概略的斜視図である。
【図４】本発明の実施の形態に係る脚部の固定構造を構成する固定具の図面であって、同図（Ａ）は概略的斜視図、同図（Ｂ）は概略的底面図、同図（Ｃ）は同図（Ａ）のＩ−Ｉ線概略的断面図である。
【図５】本発明の実施の形態に係る脚部の固定構造を構成する第１の脚部及びそれと一体化した一体化したアングル部材の概略的斜視図である。
【図６】本発明の実施の形態に係る脚部の固定構造を採用した椅子の該固定構造とフレームとの連結構造を示す概略的斜視図である。
【図７】本発明の実施の形態に係る脚部の固定構造による第１の脚部と第２の脚部との固定手順を示す概略的斜視図である。
【図８】本発明の実施の形態に係る脚部の固定構造による第１の脚部と第２の脚部との固定手順を示す概略的斜視図である。
【図９】本発明の実施の形態に係る脚部の固定構造による第１の脚部と第２の脚部との固定手順を示す図面であって、同図（Ａ）は固定前の第１の脚部と第２の脚部との関係を示す概略的平面図、同図（Ｂ）は固定後の第１の脚部と第２の脚部との関係を示す概略的平面図である。
【図１０】本発明の実施の形態に係る脚部の固定構造による第１の脚部と第２の脚部との固定手順を示す概略的斜視図である。
【符号の説明】
【００２９】
１００    フレーム
２００    脚部
２１０    アングル部材
２２０    第１の脚部
２２２    係合溝
２３０    第２の脚部
２３１    係合片
２４０    固定具
【図１】
2007319210.tif 000003
【図２】
2007319210.tif 000004
【図３】
2007319210.tif 000005
【図４】
2007319210.tif 000006
【図５】
2007319210.tif 000007
【図６】
2007319210.tif 000008
【図７】
2007319210.tif 000009
【図８】
2007319210.tif 000010
【図９】
2007319210.tif 000011
【図１０】
2007319210.tif 000012